(57)【要約】【課題】軽量容器を使用する場合であっても、容器が座屈・変形することなく、ポンプディスペンサーの操作を安定して行うことを可能としたポンプ付き容器を提供する。【解決手段】ポンプディスペンサー２が取り付けられた容器３によって構成されるポンプ付き容器１において、ポンプディスペンサー２の容器３内に垂下された部分９，１０を挿通させる挿通部２１と、挿通部２１から容器３の底面部３ｂに向かって放射状に延びる複数の支持脚２２と、容器３の底面部３ｂに接地されると共に、複数の支持脚２２の間を連結する接地部２３とを備える支持部材２０を容器３内に配置する。【選択図】図１
2008162617.tif 000002
【特許請求の範囲】
【請求項１】
ポンプディスペンサーが取り付けられた容器によって構成されるポンプ付き容器の前記容器内で前記ポンプディスペンサーを支持するポンプ付き容器用支持部材であって、
前記ポンプディスペンサーの前記容器内に垂下された部分を挿通させる挿通部と、
前記挿通部から前記容器の底面部に向かって放射状に延びる複数の支持脚と、
前記容器の底面部に接地されると共に、前記複数の支持脚の間を連結する接地部とを備えることを特徴とするポンプ付き容器用支持部材。
【請求項２】
前記挿通部と前記接地部との間で前記複数の支持脚の間を連結する連結部を備えることを特徴とする請求項１に記載のポンプ付き容器用支持部材。
【請求項３】
前記支持脚には、長手方向に沿った溝部が設けられていることを特徴とする請求項１又は２に記載のポンプ付き容器用支持部材。
【請求項４】
前記接地部の内側には、その中央部に向かって深くなる底受部が設けられていることを特徴とする請求項１〜３の何れか一項に記載のポンプ付き容器用支持部材。
【請求項５】
前記底受部には、その周辺部から中央部に向かって延びる少なくとも１つ以上の溝部が設けられていることを特徴とする請求項４に記載のポンプ付き容器用支持部材。
【請求項６】
ポンプディスペンサーが取り付けられた容器によって構成されるポンプ付き容器であって、
請求項１〜５の何れか一項に記載の支持部材が容器内に配置されていることを特徴とするポンプ付き容器。
【請求項７】
前記容器が可撓性を有する材料からなることを特徴とする請求項６に記載のポンプ付き容器。
【請求項８】
前記容器は、その底面部の外径に対する上面開口部の外径の比が０．８〜１．５であることを特徴とする請求項６又は７に記載のポンプ付き容器。
【請求項９】
前記容器の上面開口部を閉塞するアダプタを備え、
前記ポンプディスペンサーは、前記アダプタの中央部に設けられた口頸部に着脱自在に装着される装着キャップを介して取り付けられていることを特徴とする請求項８に記載のポンプ付き容器。
【発明の詳細な説明】
【技術分野】
【０００１】
本発明は、ポンプ付き容器の容器内でポンプディスペンサーを支持するポンプ付き容器用支持部材、並びにそのような支持部材を備えたポンプ付き容器に関する。
【背景技術】
【０００２】
従来より、ノズルヘッドを押し下げることによって液体を吐出するノズルヘッドタイプや、トリガーの操作によって液体を噴射するトリガータイプなどのポンプディスペンサーを容器に取り付けることによって構成されるポンプ付き容器がある。
【０００３】
近年、このようなポンプ付き容器に入った液体製品では、資源の有効利用の観点から、内容液を使い切った後に、付け替え容器を購入してきて、この付け替え容器にポンプディスペンサーを付け替えることにより、ポンプディスペンサーを再利用するといったことが行われてきている。
【０００４】
また、環境対応の観点からは、付け替え容器の重量をできるだけ削減することが望ましい。しかしながら、ポンプディスペンサーを操作した際に容器が変形することがないよう容器自体に強度を持たせる必要がある。さらに、容器の自立性や把持性などを考慮した場合には、容器の軽量化には限界がある。
【０００５】
一方、軽量容器の強度を確保する手段としては、容器内でポンプディスペンサーを支持する支持部材を用いる方法が従来より提案されている（例えば、特許文献１〜４を参照）。
【０００６】
しかしながら、これら特許文献１〜４に記載される容器は、何れも底面部から筒状に起立する胴部の上端部に、この胴部よりも縮径された口頸部を有した形状となっている。（一般に、容器の底面部の外径に対する口頸部の外径の比率は０．３〜０．６程度である。）
【０００７】
このため、特許文献１〜４に記載される支持部材は、このような容器形状に対応させるために、容器の口頸部から挿入可能な寸法形状にするか、或いは容器の口頸部から挿入した後に容器内で広がるような形状にする必要がある。この場合、容器に不必要な負荷をかけてしまうことがある。
【０００８】
また、特許文献１〜４に記載される支持部材では、それ自体の自立性が悪いために、容器の付け替え作業の際に、取り外した支持部材を置いておくときの安定性に欠けるといった欠点がある。さらに、容器の付け替え作業の際に、容器の口頸部から支持部材を挿入するときに手に内容液が付着しやすいなどの欠点がある。
【０００９】
一方、容器は、使用後に内部を洗浄してから廃棄することが望ましい。しかしながら、上述した容器形状の場合、口頸部の径が小さいために、容器内を洗浄しづらいといった欠点がある。
【特許文献１】特開平８−４８３８０号公報
【特許文献２】特開２００１−２１３４８９号公報
【特許文献３】特開２００４−１４９１９９号公報
【特許文献４】特開２００５−１３２４６３号公報
【発明の開示】
【発明が解決しようとする課題】
【００１０】
そこで、本発明は、このような従来の事情に鑑みて提案されたものであり、その目的は、軽量容器を使用する場合であっても、容器が座屈・変形することなく、ポンプディスペンサーの操作を安定して行うことを可能としたポンプ付き容器用支持部材、並びにそのような支持部材を備えたポンプ付き容器を提供することにある。
【００１１】
また、本発明の別の目的は、付け替え可能な容器を廃棄する際に洗浄しやすい容器形状を有するポンプ付き容器を提供することにある。
【課題を解決するための手段】
【００１２】
この目的を達成するために、本発明の請求項１に係る発明は、ポンプディスペンサーが取り付けられた容器によって構成されるポンプ付き容器の前記容器内で前記ポンプディスペンサーを支持するポンプ付き容器用支持部材であって、前記ポンプディスペンサーの前記容器内に垂下された部分を挿通させる挿通部と、前記挿通部から前記容器の底面部に向かって放射状に延びる複数の支持脚と、前記容器の底面部に接地されると共に、前記複数の支持脚の間を連結する接地部とを備えることを特徴とするポンプ付き容器用支持部材である。
【００１３】
また、請求項２に係る発明は、前記挿通部と前記接地部との間で前記複数の支持脚の間を連結する連結部を備えることを特徴とする請求項１に記載のポンプ付き容器用支持部材である。
【００１４】
また、請求項３に係る発明は、前記支持脚に、長手方向に沿った溝部が設けられていることを特徴とする請求項１又は２に記載のポンプ付き容器用支持部材である。
【００１５】
また、請求項４に係る発明は、前記接地部の内側に、その中央部に向かって深くなる底受部が設けられていることを特徴とする請求項１〜３の何れか一項に記載のポンプ付き容器用支持部材である。
【００１６】
また、請求項５に係る発明は、前記底受部に、その周辺部から中央部に向かって延びる少なくとも１つ以上の溝部が設けられていることを特徴とする請求項４に記載のポンプ付き容器用支持部材である。
【００１７】
また、請求項６に係る発明は、ポンプディスペンサーが取り付けられた容器によって構成されるポンプ付き容器であって、請求項１〜５の何れか一項に記載の支持部材が容器内に配置されていることを特徴とするポンプ付き容器である。
【００１８】
また、請求項７に係る発明は、前記容器が可撓性を有する材料からなることを特徴とする請求項６に記載のポンプ付き容器である。
【００１９】
また、請求項８に係る発明は、前記容器の底面部の外径に対する上面開口部の外径の比が０．８〜１．５であることを特徴とする請求項６又は７に記載のポンプ付き容器である。
【００２０】
また、請求項９に係る発明は、前記容器の上面開口部を閉塞するアダプタを備え、前記ポンプディスペンサーが、前記アダプタの中央部に設けられた口頸部に着脱自在に装着される装着キャップを介して取り付けられていることを特徴とする請求項８に記載のポンプ付き容器である。
【発明の効果】
【００２１】
以上のように、本発明のポンプ付き容器用支持部材では、容器の底面部に接地される接地部が複数の支持脚の間を連結した構造を有している。このため、従来の支持部材よりも、支持部材の強度を高めると共に、その自立性を高めることが可能である。
【００２２】
また、本発明のポンプ付き容器用支持部材では、挿通部と接地部との間で複数の支持脚の間を連結する連結部を設けることによって、支持部材の強度を更に高めることが可能である。
【００２３】
また、本発明のポンプ付き容器用支持部材では、支持脚に長手方向に沿った溝部を設けることによって、この溝部に沿って容器内で支持脚に付着した内容液が速やかに流れ落ちるため、容器の付け替え作業の際に、支持脚に付着した内容液によって周囲を汚したり、手に内容液が付着したりすることを低減することができる。
【００２４】
また、本発明のポンプ付き容器用支持部材では、接地部の内側に、その中央部に向かって深くなる底受部を設けることによって、この底受部の中央部に内容液が溜まることになる。したがって、ポンプディスペンサーの容器内に垂下された吸引管の先端を底受部の中央部に位置させることによって、ポンプディスペンサーを操作した際に、この底受部の中央部に溜まった内容液を吸引管から吸い上げることができるため、容器内の内溶液を最後まで効率よく使い切ることができる。
【００２５】
さらに、この底受部に、周辺部から中央部に向かって延びる少なくとも１つ以上の溝部を設けることによって、この溝部に沿って内容液が速やかに流れ落ちるため、底受部の中央部に更に効率よく内容液を溜めることができる。
【００２６】
したがって、本発明のポンプ付き容器では、上述したポンプ付き容器用支持部材を容器内に配置することによって、軽量容器を使用した場合であっても、容器が座屈・変形することなく、ポンプディスペンサーの操作を安定して行うことが可能である。
また、本発明のポンプ付き容器によれば、上述したポンプ付き容器用支持部材の自立性も優れていることから、容器の付け替え作業も容易に行うことが可能である。
さらに、本発明のポンプ付き容器によれば、容器の上面開口部が広口形状を有しているため、容器の付け替え作業や容器の洗浄作業などを容易に行うことが可能である。
【発明を実施するための最良の形態】
【００２７】
以下、本発明を適用したポンプ付き容器用支持部材及びポンプ付き容器について、図面を参照して詳細に説明する。
なお、以下の説明で用いる図面は、特徴をわかりやすくするために、便宜上特徴となる部分を拡大して示している場合があり、各構成要素の寸法比率などが実際と同じであるとは限らない。
【００２８】
図１に示すように、本発明を適用したポンプ付き容器１は、ポンプディスペンサー２を押圧操作して、容器３に収容された内容液を定量吐出する、いわゆる縦型手動式のポンプ付き容器である。
【００２９】
具体的に、このポンプ付き容器１は、図１及び図２に示すように、上述したポンプディスペンサー２及び容器３と、この容器３の上面開口部３ａを閉塞するアダプタ４を備えている。ポンプディスペンサー２は、このアダプタ４の中央部に設けられた口頸部４ａに螺合により着脱自在に装着される装着キャップ５を介して取り付けられている。
【００３０】
ポンプディスペンサー２は、ノズル６ａが設けられたノズルヘッド６と、このノズルヘッド６を押し下げることによって、容器３に収容された内容液をノズル６ａの先端部へと圧送するポンプ機構７とを備えている。
【００３１】
ノズルヘッド６は、装着キャップ５から上方に起立した状態で上下方向に移動可能に支持されたステム８の上端部に取り付けられている。ステム８は、上方に付勢された状態となっており、この付勢力に抗してノズルヘッド６を押圧操作することが可能となっている。なお、ノズルヘッド６は、使用前には押し下げられた状態で装着キャップ５に螺合により固定されている。そして、使用時には、この螺合を解除することによって、ステム８が上方に向かって起立した状態となる。
【００３２】
ポンプ機構７は、装着キャップ５の下面から垂下されたシリンダ９を備えている。このシリンダ９は、内容液が充填されるポンプ室を形成するものであり、その下端部には、図示を省略するが、容器３に収容された内容液を吸引する吸引口と、この吸引口を開閉する球状の弁体とが設けられている。弁体は、ポンプ室の拡張操作によりシリンダ９内に負圧が発生する場合のみ吸引口を開放する。また、シリンダ９の下端部からは、容器３に収容された内容液を吸い込む吸引管１０が容器３の底面部３ｂまで垂下されている。一方、シリンダ９の上部側には、容器３の内部に空気を導入するための通気孔（図示せず。）が設けられている。また、シリンダ９内には、図示を省略するが、ステム８を上方に向かって付勢する圧縮コイルバネと、ステム８の下端部に取り付けられて、シリンダ９の内面と摺接しながらシリンダ９内で加圧された内容液をステム８を通じてノズルヘッド６側へと圧送するピストンとが配置されている。
【００３３】
以上のような構造を有するポンプディスペンサー２では、ノズルヘッド６を押圧しながらコイルバネの付勢に抗してステム８を押し下げることによって、ピストンが下降し、シリンダ９内に充填された内容液が加圧された状態となる。このとき、シリンダ９内で加圧された内容液は、ステム８を通じてノズルヘッド６側へと圧送され、ノズル６ａの先端から吐出される。一方、ノズルヘッド６に対する押圧を解除することによって、押し下げられたノズルヘッド６がステム８と一体に上昇する。このとき、シリンダ９内に発生する負圧によって弁体が吸引口を開放する。これにより、容器３に収容された内容液が吸引管１０から吸い込まれて、再びシリンダ９内に充填される。また、このとき容器３内の内容液が減少するのに伴って、通気孔を通して外部の空気が容器３内に導入される。
【００３４】
容器３は、付け替え可能な容器として、廃棄の際に容易に押し潰すことが可能な薄肉軽量容器からなっている。このような容器３の材質については、例えば、樹脂や紙、樹脂と紙との複合材、金属フィルムなどの可撓性を有する材料を挙げることができる。また、容器３は、その底面部３ｂの外径Ｂに対する上面開口部３ａの外径Ａの比Ａ／Ｂが０．８〜１．５であり、後述する支持部材２０を挿入するのに十分な広口形状を有している。
【００３５】
容器３に収容される内容液としては、特に限定されないものの、例えば、シャンプーや、リンス、トリートメント、液体石鹸、化粧液、洗浄剤、液体洗剤、柔軟仕上げ剤、液体歯磨きなどを挙げることができる。
【００３６】
アダプタ４は、容器３の上面開口部３ａを閉塞し、なお且つ、口頸部４ａに装着キャップ５を介してポンプディスペンサー２を取り付けるため、容器３よりも強度を持たせた樹脂材料などからなる。このアダプタ４を容器３に取り付ける方法については、容器３の気密性を保持し、なお且つ、容器３に対して着脱自在であれば、嵌合や螺合など特に制限されるものではなく、従来公知の取り付け方法を用いることができる。
【００３７】
本発明を適用したポンプ付き容器１は、上述した薄肉軽量な容器３内に配置されて、ポンプディスペンサー２を支持するポンプ付き容器用支持部材（以下、単に支持部材という。）２０を備えている。
【００３８】
具体的に、この支持部材２０は、容器３内でポンプディスペンサー２を支持するのに十分な強度と軽量化を図るため、例えば、ポリエチレン樹脂やポリプロピレン樹脂、ポリエステル樹脂などの樹脂材料などからなる。
【００３９】
支持部材２０は、図３及び図４に示すように、ポンプディスペンサー２の容器３内に垂下された部分を挿通させる挿通部２１と、挿通部２１から容器３の底面部３ｂに向かって放射状に延びる複数の支持脚２２と、容器３の底面部３ｂに接地されると共に、複数の支持脚２２の間を連結する接地部２３と、挿通部２１と接地部２３との間で複数の支持脚２２の間を連結する連結部２４とを備えている。
【００４０】
挿通部２１は、略円筒状を為しており、ポンプディスペンサー２の容器３内に垂下された部分、すなわち上記シリンダ９及び吸引管１０を挿通させるのに十分な内径を有している。
【００４１】
複数の支持脚２２は、挿通部２１の周方向に等間隔に４つ並んで配置されており、それぞれが挿通部２１の下端部から容器３の底面部３ｂに向かって放射状に同一長さで延びている。また、各支持脚２２は、外側に向かって湾曲した形状を有している。
【００４２】
各支持脚２２の外面には、長手方向に沿った溝部２２ａが設けられている。この溝部２２ａは、支持脚２２に付着した内容液を速やかに流下させるためのものであり、支持脚２２の挿通部２１と接地部２３との間に亘って形成されている。
【００４３】
接地部２３は、上述した支持脚２２の各間を全周に亘って連結することによってリング状を為している。また、接地部２３は、この接地部２３よりも下方に各支持脚２２の先端部が突き出さないよう各支持脚２２の先端部を連結している。これにより、支持脚２２の先端部が容器３を突き破るといったことを防ぐことができる。
【００４４】
連結部２４は、支持脚２２の長手方向に等間隔に２つ並んで配置されており、それぞれが支持脚２２の各間を全周に亘って連結することによってリング状を為している。また、各連結部２４は、付着した内容液の液切れを良くするため、径方向の厚みを薄くした形状とすることが好ましい。
【００４５】
以上のような構造を有する支持部材２０は、図１に示すように、挿通部２１にポンプディスペンサーの吸引管１０及びシリンダ９を挿通した状態で、容器３の底面部３ｂに接地部２３が接地されると共に、複数の支持脚２２によって容器３内で起立した状態を保持する。
【００４６】
これより、ポンプ付き容器１では、ポンプディスペンサー２のノズルヘッド６を押し下げることによって、容器３に荷重をかけた場合でも、容器３内に配置された支持部材２０が該容器３に負荷をかけることなく、ポンプディスペンサー１を安定した状態で支持することができる。
【００４７】
上述したように、本発明の支持部材２０では、容器３の底面部３ｂに接地される接地部２３が複数の支持脚２２の間を連結した構造を有している。このため、従来の支持部材よりも、支持部材２０の強度を高めると共に、その自立性を高めることが可能である。また、挿通部２１と接地部２３との間で複数の支持脚２２の間を連結する連結部２４を設けることによって、この支持部材２０の強度を更に高めることが可能である。
【００４８】
また、本発明の支持部材２０では、支持脚２２に長手方向に沿った溝部２２ａを設けることによって、この溝部２２ａに沿って容器３内で支持脚２２に付着した内容液が速やかに流れ落ちるため、容器３の付け替え作業の際に、支持脚２２に付着した内容液によって周囲を汚したり、手に内容液が付着したりすることを低減することが可能である。
【００４９】
以上のように、本発明のポンプ付き容器１では、上述した本発明の支持部材２０を容器３内に配置することによって、付け替え可能な軽量薄肉容器３を使用した場合であっても、この容器３が座屈・変形することなく、ポンプディスペンサー２の操作を安定して行うことが可能である。
また、本発明のポンプ付き容器１によれば、上述した支持部材２０の自立性も優れていることから、容器３の付け替え作業も容易に行うことが可能である。
さらに、本発明のポンプ付き容器１によれば、容器３の上面開口部３ａが広口形状を有しているため、容器３の付け替え作業や容器３の洗浄作業などを容易に行うことが可能である。
【００５０】
なお、本発明は、上記実施形態のものに必ずしも限定されるものではなく、本発明の趣旨を逸脱しない範囲において種々の変更を加えることが可能である。なお、以下に示す変形例の説明では、上記支持部材２０と同等の部位については、説明を省略すると共に、図面において同じ符号を付すものとする。
【００５１】
具体的に、上記実施形態では、支持部材２０に４つの支持脚２２が設けられた構成となっているが、このような構成に限らず、支持脚２２の数については、少なくとも３つ以上であればよく、容器３の形状等に合わせて任意に変更することが可能である。
また、各支持脚２２の形状については、上述した湾曲した形状に限らず、例えば直線状であっても、途中で分岐した形状であってもよい。
また、支持脚２２に形成される溝部２２ａの断面形状については、特に限定されるものではなく、例えばＵ字状やＶ字状などであってもよい。
【００５２】
また、上記実施形態では、支持部材２０に２つの連結部２４が設けられた構成されているが、このような構成に限らず、例えば図５及び図６に示すように、連結部２４を省略した支持部材３０とすることも可能である。すなわち、連結部２４の数については、任意に変更することが可能であり、支持部材２０の強度を確保するのに必要な分だけ配置すればよい。
【００５３】
また、本発明では、例えば図７及び図８に示すように、接地部２３の内側に、その中央部に向かって深くなる底受部２５が設けられれた支持部材４０とすることも可能である。また、底受部２５には、その周辺部から中央部に向かって延びる少なくとも１つ以上の溝部２５ａを設けることができる。
【００５４】
この支持部材４０では、接地部２３の内側に、その中央部に向かって深くなる底受部２５を設けることによって、この底受部２５の中央部に内容液が溜まることになる。したがって、上記吸引管１０の先端を底受部２５の中央部に位置させることによって、ポンプディスペンサー２を操作した際に、この底受部２５の中央部に溜まった内容液を吸引管１０から吸い上げることができるため、容器３内の内溶液を最後まで効率よく使い切ることが可能である。
【００５５】
さらに、この底受部２５に、周辺部から中央部に向かって延びる少なくとも１つ以上の溝部２５ａを設けることによって、この溝部２５ａに沿って内容液が速やかに流れ落ちるため、底受部２５の中央部に更に効率よく内容液を溜めることが可能である。
【００５６】
なお、本発明は、上述したノズルヘッド６を押し下げることによって液体を吐出するノズルヘッドタイプに限らず、トリガーの操作によって液体を噴射するトリガータイプなどのポンプディスペンサーを容器に取り付けたポンプ付き容器にも適用することが可能である。
【図面の簡単な説明】
【００５７】
【図１】図１は、本発明を適用したポンプ付き容器の一構成例を示す透視側面図である。
【図２】図２は、図１に示すポンプ付き容器の分解側面図である。
【図３】図３は、本発明を適用したポンプ付き容器用支持部材の一例を示す斜視図である。
【図４】図４は、図３に示すポンプ付き容器用支持部材を示し、（ａ）は、その側面図であり、（ｂ）は、その平面図である。
【図５】図５は、本発明を適用したポンプ付き容器用支持部材の変形例を示し、（ａ）は、その側面図であり、（ｂ）は、その平面図である。
【図６】図６は、図５に示す支持部材が配置されたポンプ付き容器を示す平面図である。
【図７】図７は、本発明を適用したポンプ付き容器用支持部材の別の変形例を示し、（ａ）は、その側面図であり、（ｂ）は、その平面図である。
【図８】図８は、図７に示す支持部材が配置されたポンプ付き容器を示す平面図である。
【符号の説明】
【００５８】
１…ポンプ付き容器、  ２…ポンプディスペンサー  ３…容器  ３ａ…上部開口部  ３ｂ…底面部  ４…アダプタ  ４ａ…口頸部  ５…装着キャップ  ６…ノズルヘッド  ６ａ…ノズル  ７…ポンプ機構  ８…ステム  ９…シリンダ  １０…吸引管  ２０…支持部材  ２１…挿通部  ２２…支持脚  ２２ａ…溝部  ２３…接地部  ２４…連結部  ２５…底受部  ２５ａ…溝部  ３０，４０…支持部材
【図１】
2008162617.tif 000003
【図２】
2008162617.tif 000004
【図３】
2008162617.tif 000005
【図４】
2008162617.tif 000006
【図５】
2008162617.tif 000007
【図６】
2008162617.tif 000008
【図７】
2008162617.tif 000009
【図８】
2008162617.tif 000010